【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
主走査方向に間隔を有する複数の発光部を有する光源手段と、
前記複数の発光部から出射された複数の光束を偏向走査する回転多面鏡と、副走査断面内において前記複数の発光部から出射された複数の光束を前記回転多面鏡の偏向面の上に結像させる第１の光学系と、前記回転多面鏡の偏向面で偏向走査された複数の光束を被走査面上に結像させる第２の光学系と、を有し、
副走査断面内において前記回転多面鏡の偏向面と前記被走査面とを共役な関係としたマルチビーム光走査装置において、
前記回転多面鏡の偏向面に入射する複数の光束の各々は、副走査断面内において前記回転多面鏡の偏向面の回転軸に垂直な面に対して斜め方向から入射しており、
前記被走査面の移動方向の下流側を副走査方向のプラス方向、前記被走査面の移動方向の上流側を副走査方向のマイナス方向と定義した場合、前記回転多面鏡の偏向面に入射する複数の光束の各々は、前記回転多面鏡の偏向面の回転軸に垂直な面に対して副走査方向の斜めマイナス方向から入射されているとき、
前記第２の光学系の光軸上における前記回転多面鏡の偏向面と前記被走査面との間の副走査断面内の結像倍率は、前記第２の光学系の前記被走査面上を走査する光束の走査開始側の端部における前記回転多面鏡の偏向面と前記被走査面との間の副走査断面内の結像倍率より大きく、前記第２の光学系の前記被走査面上を走査する光束の走査終了側の端部における前記回転多面鏡の偏向面と前記被走査面との間の副走査断面内の結像倍率より小さいことを特徴とするマルチビーム光走査装置。
【請求項２】
主走査方向に間隔を有する複数の発光部を有する光源手段と、
前記複数の発光部から出射された複数の光束を偏向走査する回転多面鏡と、副走査断面内において前記複数の発光部から出射された複数の光束を前記回転多面鏡の偏向面の上に結像させる第１の光学系と、前記回転多面鏡の偏向面で偏向走査された複数の光束を被走査面上に結像させる第２の光学系と、を有し、
副走査断面内において前記回転多面鏡の偏向面と前記被走査面とを共役な関係としたマルチビーム光走査装置において、
前記回転多面鏡の偏向面に入射する複数の光束の各々は、副走査断面内において前記回転多面鏡の偏向面の回転軸に垂直な面に対して斜め方向から入射しており、
前記被走査面の移動方向の上流側を副走査方向のプラス方向、前記被走査面の移動方向の下流側を副走査方向のマイナス方向と定義した場合、前記回転多面鏡の偏向面に入射する複数の光束の各々は、前記回転多面鏡の偏向面の回転軸に垂直な面に対して副走査方向の斜めマイナス方向から入射されているとき、
前記第２の光学系の光軸上における前記回転多面鏡の偏向面と前記被走査面との間の副走査断面内の結像倍率は、前記第２の光学系の前記被走査面上を走査する光束の走査開始側の端部における前記回転多面鏡の偏向面と前記被走査面との間の副走査断面内の結像倍率より小さく、前記第２の光学系の前記被走査面上を走査する光束の走査終了側の端部における前記回転多面鏡の偏向面と前記被走査面との間の副走査断面内の結像倍率より大きいことを特徴とするマルチビーム光走査装置。
【請求項３】
前記光源手段は、複数の発光部が同一基板上に形成されたモノリシックマルチビーム半導体レーザーであることを特徴とする請求項１又は２に記載のマルチビーム光走査装置。
【請求項４】
前記第１の光学系は、前記複数の発光部から出射された複数の光束を同一方向に出射させるビーム合成手段を有することを特徴とする請求項１又は２に記載のマルチビーム光走査装置。
【請求項５】
請求項１乃至４の何れか１項に記載のマルチビーム光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【手続補正２】
【補正対象書類名】明細書
【補正対象項目名】００６８
【補正方法】変更
【補正の内容】
【００６８】
請求項１の発明のマルチビーム光走査装置は、主走査方向に間隔を有する複数の発光部を有する光源手段と、
前記複数の発光部から出射された複数の光束を偏向走査する回転多面鏡と、副走査断面内において前記複数の発光部から出射された複数の光束を前記回転多面鏡の偏向面の上に結像させる第１の光学系と、前記回転多面鏡の偏向面で偏向走査された複数の光束を被走査面上に結像させる第２の光学系と、を有し、
副走査断面内において前記回転多面鏡の偏向面と前記被走査面とを共役な関係としたマルチビーム光走査装置において、
前記回転多面鏡の偏向面に入射する複数の光束の各々は、副走査断面内において前記回転多面鏡の偏向面の回転軸に垂直な面に対して斜め方向から入射しており、
前記被走査面の移動方向の下流側を副走査方向のプラス方向、前記被走査面の移動方向の上流側を副走査方向のマイナス方向と定義した場合、前記回転多面鏡の偏向面に入射する複数の光束の各々は、前記回転多面鏡の偏向面の回転軸に垂直な面に対して副走査方向の斜めマイナス方向から入射されているとき、
前記第２の光学系の光軸上における前記回転多面鏡の偏向面と前記被走査面との間の副走査断面内の結像倍率は、前記第２の光学系の前記被走査面上を走査する光束の走査開始側の端部における前記回転多面鏡の偏向面と前記被走査面との間の副走査断面内の結像倍率より大きく、前記第２の光学系の前記被走査面上を走査する光束の走査終了側の端部における前記回転多面鏡の偏向面と前記被走査面との間の副走査断面内の結像倍率より小さいことを特徴としている。
【手続補正３】
【補正対象書類名】明細書
【補正対象項目名】００６９
【補正方法】変更
【補正の内容】
【００６９】
請求項２の発明のマルチビーム光走査装置は、主走査方向に間隔を有する複数の発光部を有する光源手段と、
前記複数の発光部から出射された複数の光束を偏向走査する回転多面鏡と、副走査断面内において前記複数の発光部から出射された複数の光束を前記回転多面鏡の偏向面の上に結像させる第１の光学系と、前記回転多面鏡の偏向面で偏向走査された複数の光束を被走査面上に結像させる第２の光学系と、を有し、
副走査断面内において前記回転多面鏡の偏向面と前記被走査面とを共役な関係としたマルチビーム光走査装置において、
前記回転多面鏡の偏向面に入射する複数の光束の各々は、副走査断面内において前記回転多面鏡の偏向面の回転軸に垂直な面に対して斜め方向から入射しており、
前記被走査面の移動方向の上流側を副走査方向のプラス方向、前記被走査面の移動方向の下流側を副走査方向のマイナス方向と定義した場合、前記回転多面鏡の偏向面に入射する複数の光束の各々は、前記回転多面鏡の偏向面の回転軸に垂直な面に対して副走査方向の斜めマイナス方向から入射されているとき、
前記第２の光学系の光軸上における前記回転多面鏡の偏向面と前記被走査面との間の副走査断面内の結像倍率は、前記第２の光学系の前記被走査面上を走査する光束の走査開始側の端部における前記回転多面鏡の偏向面と前記被走査面との間の副走査断面内の結像倍率より小さく、前記第２の光学系の前記被走査面上を走査する光束の走査終了側の端部における前記回転多面鏡の偏向面と前記被走査面との間の副走査断面内の結像倍率より大きいことを特徴としている。
【手続補正４】
【補正対象書類名】明細書
【補正対象項目名】００７０
【補正方法】変更
【補正の内容】
【００７０】
請求項３の発明は請求項１又は２の発明において、前記光源手段は、複数の発光部が同一基板上に形成されたモノリシックマルチビーム半導体レーザーであることを特徴としている。
【手続補正５】
【補正対象書類名】明細書
【補正対象項目名】００７１
【補正方法】変更
【補正の内容】
【００７１】
請求項４の発明は請求項１又は２の発明において、前記第１の光学系は、前記複数の発光部から出射された複数の光束を同一方向に出射させるビーム合成手段を有することを特徴としている。
【手続補正６】
【補正対象書類名】明細書
【補正対象項目名】００７２
【補正方法】変更
【補正の内容】
【００７２】
請求項５の発明の画像形成装置は請求項１乃至４の何れか１項に記載のマルチビーム光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正７】
【補正対象書類名】明細書
【補正対象項目名】００７３
【補正方法】削除
【補正の内容】
【手続補正８】
【補正対象書類名】明細書
【補正対象項目名】００７４
【補正方法】削除
【補正の内容】
【手続補正９】
【補正対象書類名】明細書
【補正対象項目名】００７５
【補正方法】削除
【補正の内容】
【手続補正１０】
【補正対象書類名】明細書
【補正対象項目名】００７６
【補正方法】削除
【補正の内容】